(57)【要約】      （修正有）【課題】設備費が安価で、メンテナンスが容易で、安全性が高く、良質な浄水を作ることができる雨水浄化装置を提供する。地震、災害、水害による被害を少なくし、環境保全に大きく役立つことのできる雨水浄化装置を提供する。【解決手段】雨水を雨樋１２から受水送水管に流し込み、落差による水圧で複数の水質浄化管を上下しながら通過する際に、浄化物内蔵袋で雨水の汚染物質をイオン交換体、活性炭、木炭、麦飯石、医王石、ゼオライトその他の浄化物質で浄化して水槽９に貯水して、生活用水の風呂、洗濯、トイレ、植木その他に供給する。浄化物内蔵袋には永久に使用することができる天然のミネラルや活性炭、イオン交換体があり、浄化の水準を上げる場合は水質浄化管を増やして浄化物質を多くすることのできる構成になっている。【選択図】図３
2004308382.tif 000002
【特許請求の範囲】
【請求項１】
雨水を建家の雨樋上部から受水送水管を地面まで設置し、中間に分岐する貯水圧力間管を受水送水管上部の少し下部まで立ち上げて、雨水が貯水される事で下方に水圧がかかる様にする。貯水圧力管上部に満水配水管を繋ぎ、多量の雨が降った時にオーバーホール、配水ができる。受水送水管の下部は水質浄化管を連続して複数に連結し、雨水を浄化する浄化物内蔵袋を各水質浄化管内に設置して雨水が受水送水管から水圧によって複数の水質浄化管を通過しながら浄化物内蔵袋で雨水が次々と汚染物質を浄化して、天然の湧き水に近い純良の水を貯水槽に貯水できる。家庭内で使用する浴槽、水洗便所、洗濯、ガーデニングその他幅広く利用でき、大きな水道代の節約になる。また水不足で悩むことがない。日本に降雨量平均１５００ミリで一般家庭で雨樋に流れ落ちる水量は平均で数百トンに上りますから充分に補えます。飲水料理、洗面以外は貯水槽の水が使用でき家庭の使用水の７０％以上を補えるから、年間多額の水道料が節約になる。今後ますます水の不足は進み、水道料金も値上げされるばかりです。本発明は雨水に含まれる次の汚染物質を浄化可能です。（１）アクリロニトリル（２）アセトアルデヒド（３）クロロホルム（４）酸化エチレン（５）ダイオキシン（６）トリクロエチレン（７）水銀化合物（８）ヒソ化合物（９）ニッケル化合物（１０）ベンゼン（１１）ホルムアルデヒド（１２）六価クロム（１３）酸性雨（１４）窒素酸化物（１５）ジクロメタン  その他をイオン交換剤、ミネラル石、活性炭、ゼオライトその他多種類の浄化物質で浄化を手軽にすることに対応できる。自然に降りそそぐ天然の雨の利用は環境に対しても良く、大雨で大量に河川に流れ込んで異状危険水位による災害等の発生を防げる。またこの設備等は狭い場所にも設置でき、工事も簡単でその費用は、節水により１年から２年で補える。例えば設備してから今迄と同じ月々支払う金額の内から７０％節約された金額で月賦支払いすれば余分の金は支払うことなく無料で設備したことになり、２年を経過すれば月々貯金が生まれ生涯に渡れば数百万から数千万の得をすることになる。本発明は雨水を浄化しその水を有効に生活用水に利用し、水資源を大切に守り環境を保護し家計の経済を助けることのできる、雨水浄化装置管に関するものである。
【発明の詳細な説明】
【０００１】
【産業上の利用分野】
この発明は天然に降る雨水を雨樋いで集水し、複数の各水質浄化管にそれぞれ違う内蔵物を入れた水質浄化物内蔵袋を入れて、雨水が通過する時に、雨水内に含まれる汚染物質を複数の浄化物質で吸着、イオン交換、科学反応で浄化し、水質を純良にし貯水槽に貯水して生活用水の風呂水、洗濯水、便器水、植物灌水その他に利用することのできる。雨水浄化装置管に関するものである。
【０００２】
【従来の技術及びその課題】
今日迄の雨水を利用する方法は数多くありますが、単純なものは雨樋から水を水槽に溜めて、庭木やプランターに灌水する程度のものや、水槽の上部から大中小の石や砂を重ねて上部から雨水を通して濾過する方法であり、これは月日と共に濾過能力が落ちるので水槽から取り出し洗浄する手間が大変で今日では使用されていない。また大掛かりな濾過水槽で雨水を浄化する方法も数ありますが、設備に多額の費用がかかりました。またメンテナンスは業者が行うので費用面で一般に利用する家庭は少なく、また設置するのに広い面積等が必要。
本発明は設備費が非常に安価でメンテナンスが家族で行え、浄化物は永久に使用でき、天然素材ですから安全性も高く、良質の浄化水を作ることができる雨水浄化装置管の提供を目的としている。
【０００３】
【本発明が解決しようとする課題】
本発明が解決する課題は、将来に渡り水不足はますます拡大する傾向にあり、断水等が心配されると共に、水道代金が上り続けることは確かである。水が途切れることがあっては日常生活に大きな負担となります。また集中豪雨で河川に水が集中し、洪水や床下浸水で大きな被害を受ける心配がされています。また特に恐怖な事は、大きな地震で水道水がストップした時に火災が起きると、火を消し止める水がなければ人名財産を失うことになります。本発明は簡単な設備で雨水を浄化して貯水し、生活用水を７０％以上補い、経済効果をあげ、水害を防止することや、また地震などによる断水時に、貯水槽から水が生活用水として利用できる。火災の発生時でも水の使用ができ、火災の被害を防げる。環境を保護し、優しい生活環境をより良くすることの課題である。
【０００４】
【問題点を解決するための手段】
上記の問題を解決するためには、図１の受水送水管で雨水を受水して、４の水質浄化管を通過しながら、図２の１０浄化物内蔵袋で雨水内の汚染物質を浄化して９の貯水槽に貯水して生活用水に利用する。１０の浄化物内蔵袋は雨の日や曇りの日を避け、天気の良い日に時々４から抜取り、日光干しをすれば浄化物質は永久に浄化効力を発揮できる。集中豪雨で一時的に貯水槽が満杯になる場合、２の貯水圧力管から３の満水配水管に配水オーバーホールできる。１から４へと雨水が移動する際、１０をくぐり抜けるのに圧力がかかるので２の貯水圧力管の水圧で９の貯水槽までスムーズに浄化して貯水することができる。７は送水管で９内に設置された水中ポンプで、貯水された水を使用する箇所に送水することができる。以上述べたように本発明は、雨水を無駄にしないように浄化貯水して生活用水を７０％節約でき、豪雨地震等の災害から安全を確保する事につながる。
【０００５】
【作用】
本発明は自然に降る雨水を受水し、その水を簡単な方法で汚染物質を浄化して生活用水に使用して、水道料金を７０％安価にして経済効果を上げると共に、自然災害を軽減、または防止することができ環境を保護する多くの作用がある。
【０００６】
【実施例】
以下、図面を参照して本発明の雨水浄化装置管を利用した実施例を説明する。図１は本発明の全体斜視で１が雨水を受ける受水送水管で雨樋から流れ込む雨水を４の水質浄化管に水圧によって送水し、図２の本発明一部断面斜視図の１１の雨水が４に入り１０の水質浄化物質を通過して汚染物質を取り除き９の貯水槽に貯水される。１１−１の浄化水、２は下方に水圧をかけて４をスムーズに通過させ、貯水圧力管で上部に３の満水配水管を接続して豪雨時に配水オーバーホールさせる。図３は本発明と宅地と水使用器具の斜視図で、１３の屋根から１２の雨樋から１で雨水を受け、４で汚染物質を浄化して９に貯水し、７の送水管で１４の洗面所、１５の便所、１６の洗濯機、１７の風呂、１８の台所、１９の庭木等に水を供給できる。１７，１６，１５が生活用水の７０％以上を占めるので、その分水道料金が安くなる。以上、図によって説明したように、簡単な設備で多様な効果をもたらす。適用する建築物は一戸建住宅、マンション、オフィスビル、工場、学校、その他建築物に設置でき、多くの利益を得ることができる。尚、本発明に使用する素材は、プラスチック、金属、硝子、セラミック、イオン交換石、ゼオライト、遠赤外線石、ケイ酸白土、医王石、麦飯石、木炭、活性炭、不織布、布、竹、木、石綿等を使用することができる。
【０００７】
【発明の効果】
本発明は、以上説明したように簡単な設備で効率よく雨水を浄化し、生活用水の７０％が補える。今現在支払っている水道代の７０％がこのシステムで浮きますから、本発明の設備費は一円も支出になりません。約２年で償却でき、毎月の水道料金の削減が可能になり、経済効果を上げると共に環境改善にも効果を上げる。なお、貯水槽の浄化された水を建屋内の各部所、台所、風呂浴槽、水洗便所、洗濯場、洗面所に送水する方法として、現在設置配管されている水道管を利用して送ることができる。公設された水道メーターを通って送水される管に電磁弁を取り付け、スイッチのオン・オフによって送水を止めたり、送水が自由にできる様にしておき、一方浄水槽の送水管を既に設置されている管に接続して、同じように浄化槽の送水管にも電磁便を取り付けて、スイッチのオン・オフによって送水、止水が自由にできるようにして、水道水が必要な時は水道管の電磁弁を開き、送水ができる。また、浄化槽の送水を必要とする時は水道管の電磁弁を閉じ、浄化水管の電磁弁を開くことで浄化水が水道水にかわって使用できる。屋内で電磁弁が簡単に切り替えられ、水道水と浄化水が自由に使い分けでき、水道代の節約になる。配管を新しくする必要もなく、簡単な工事で済む。
【図面の簡単な説明】
【図１】本発明の斜視図
【図２】本発明の一部断面斜視図
【図３】本発明と住宅、器具、植木斜視図
【符号の説明】
１．  受水送水管
２．  貯水圧力管
３．  満水配水管
４．  水質浄化管
５．  密閉蓋
６．  浄化配送管
７．  送水管
８．  貯水槽蓋
９．  貯水槽
１０．浄化物内臓袋内蔵袋
１１．雨水
１１−１．浄化水
１２．雨樋
１３．住宅
１４．洗面所
１５．便器
１６．洗濯機
１７．浴槽
１８．台所
１９．植木
２０．地面位置線
２１．水中ポンプ
【図１】
2004308382.tif 000003
【図２】
2004308382.tif 000004
【図３】
2004308382.tif 000005